(57)【要約】【課題】ベールレス型のロータにおいて、釣り糸を引っ掛けやすくかつ簡素な構成でラインローラからの釣り糸の脱落を防止できるようにする。【解決手段】スピニングリールのロータ３は、ロータ本体３０と、釣り糸案内部３１とを備えている。ロータ本体は、リール本体に回転自在に装着される支持部３２及び支持部の後端部外周面から前方に延びる第１ロータアーム３３を有している。釣り糸案内部３１は、第１ロータアームの先端に揺動自在に装着された支持部材４１、支持部材の先端に基端が装着された固定軸４２、固定軸に回転自在に装着されたラインローラ４３、固定軸の先端側に設けられ頂点４４ｂが固定軸の先端より後方に向けて偏芯しかつリール本体側に釣り糸案内面４４ｃが設けられた略円錐形状の固定軸カバー４４、及び頂点の手前側の稜線と滑らかに連続して突出し先端が他の部分より太い釣り糸係止部４５を有するものである。【選択図】      図６
2004236564.tif 000002
【特許請求の範囲】
【請求項１】
釣り竿に装着されるリール本体に前後移動自在に装着されたスプールに釣り糸を巻き付けるスピニングリールのロータであって、
前記リール本体に回転自在に装着される支持部及び前記支持部の後端部外周面から前記支持部と間隔を隔てて前方に延びる第１ロータアームを有するロータ本体と、
前記第１ロータアームの先端に糸巻き取り姿勢と糸開放姿勢とに揺動自在に装着された支持部材、前記支持部材の先端に基端が装着された固定軸、前記固定軸に回転自在に装着され前記釣り糸を案内可能なラインローラ、前記固定軸の先端側に設けられ頂点が前記固定軸の先端より後方に向けて偏芯しかつ前記リール本体側に釣り糸案内面が設けられた略円錐形状の固定軸カバー、及び前記頂点の手前側の稜線と滑らかに連続して突出する釣り糸係止部を有し、前記釣り糸を前記スプールに案内する釣り糸案内部と、
を備えたスピニングリールのロータ。
【請求項２】
前記釣り糸係止部の先端は他の部分より太く形成されている、請求項１に記載のスピニングリールのロータ。
【請求項３】
前記釣り糸案内部が糸巻取姿勢にあるとき、前記釣り糸案内面は前記固定軸の先端側から前記釣り糸係止部側に向けて徐々に前記リール本体との距離が短くなるように設けられている、請求項１又は２に記載のスピニングリールのロータ。
【請求項４】
前記釣り糸係止部の先端は、球状に丸められている、請求項１から３のいずれかに記載のスピニングリールのロータ。
【請求項５】
前記固定軸カバーは、前記支持部材の揺動面に対して先端が前記スプールに向かって傾斜している、請求項１から４のいずれかに記載のスピニングリールのロータ。
【請求項６】
前記ロータ本体は、前記筒状の後端外周面の前記第１ロータアームと対向する位置から前記支持部と間隔を隔てて前方に延びる第２ロータアームをさらに有し、
前記第１ロータアームの前記支持部材の揺動軸芯を通る第１直線と前記第２ロータアームの幅方向の中心を通りかつ前記第１直線と実質的に平行な第２直線とが前記ロータ本体の回転軸芯を挟んで逆側に配置されるように、前記第１及び第２ロータアームが形成されている、請求項１から５のいずれかに記載のスピニングリールのロータ。
【請求項７】
前記第１及び第２直線は、前記回転軸芯から実質的に同じ距離離れて配置されている、請求項６に記載のスピニングリールのロータ。
【請求項８】
前記第１ロータアームは、前記第２ロータアームより前記前方へ延びる長さが長い、請求項６又は７に記載のスピニングリールのロータ。
【請求項９】
前記第２ロータアームには、前記第１ロータアーム及び前記釣り糸案内部との回転バランスを補正するための重り部材が収納されている、請求項６から８のいずれかに記載のスピニングリールのロータ。
【発明の詳細な説明】
【０００１】
【発明の属する技術分野】
本発明は、ロータ、特に、釣り竿に装着されるリール本体に前後移動自在に装着されたスプールに釣り糸を巻き付けるスピニングリールのロータに関する。
【０００２】
【従来の技術】
スピニングリールのロータとして、一方のロータアームにのみ釣り糸案内部を有する、いわゆるベールレス型のロータが知られている（たとえば、特許文献１及び非特許文献１参照。）。従来のベールレス型のスピニングリールのロータは、第１及び第２ロータアームを有するロータ本体と、第１ロータアームの先端に糸巻取姿勢と糸開放姿勢とに揺動自在に装着された釣り糸案内部とを有している。釣り糸案内部は、第１ロータアームの糸開放姿勢（特許文献１の状態）と糸巻取姿勢（非特許文献１の状態）とに揺動自在に装着された支持部材と、固定軸と、ラインローラと、固定軸カバーとを備えている。固定軸は、支持部材の先端に基端が装着されたものである。ラインローラは、固定軸に回転自在に装着され釣り糸を案内可能なものである。固定軸カバーは、先端に向けて先細りに形成されており、固定軸の軸芯と同方向に延びている。
【０００３】
このような構成のベールレス型のロータを有するスピニングリールでは、キャスティング時には、釣り糸案内部を糸開放姿勢に揺動させ、キャスティング後に釣り糸案内部を釣り竿を持つ手と逆の手の指でつまんで糸巻取姿勢側に戻した後、釣り糸をつまんでラインローラに引っ掛ける。ハンドルを静止した状態で釣り糸が外れるのを防止するために前記従来の構成では、釣り糸外れ防止用のスプリングが装着されている。スプリングは支持部材に一端が固定され固定軸カバーに近接した位置に延びた後に湾曲しており、このスプリングにより釣り糸がラインローラから外れないようにしている。
【０００４】
【特許文献１】
意匠登録第５６８５２８号公報
【０００５】
【非特許文献１】
ダイワ精工株式会社発行、１９８２年度ダイワ総合カタログ（Ｐ．２０−２１）
【０００６】
【発明が解決しようとする課題】
前記従来の構成では、ハンドル静止時にラインローラから釣り糸が外れるのを防止するためにスプリングを設けている。このため、キャスティング後にラインローラに釣り糸を引っ掛けるときに、スプリングが邪魔になり釣り糸を引っ掛けにくい。しかも、固定軸カバーがラインローラの回転軸芯を中心とした先細り形状のため、固定軸カバーに釣り糸を引っ掛けただけでは釣り糸がラインローラに案内されない。このため、釣り糸をラインローラまでスプリングをくぐって持っていかなければならず、釣り糸をラインローラにさらに引っ掛けにくい。また、ハンドル静止時に釣り糸がラインローラから外れないようにするために別の部材（スプリング）が必要なるので、ロータの構成が複雑になる。
【０００７】
本発明の課題は、一方のロータアームにのみ釣り糸案内部が設けられたスピニングリールのロータにおいて、釣り糸を引っ掛けやすくかつ簡素な構成でラインローラからの釣り糸の脱落を防止できるようにすることにある。
【０００８】
【課題を解決するための手段】
発明１に係るスピニングリールのロータは、釣り竿に装着されるリール本体に前後移動自在に装着されたスプールに釣り糸を巻き付けるスピニングリールのロータであって、ロータ本体と、釣り糸案内部とを備えている。ロータ本体は、リール本体に回転自在に装着される支持部及び支持部の後端部外周面から支持部と間隔を隔てて前方に延びる第１ロータアームを有している。釣り糸案内部は、第１ロータアームの先端に糸巻き取り姿勢と糸開放姿勢とに揺動自在に装着された支持部材、支持部材の先端に基端が装着された固定軸、固定軸に回転自在に装着され釣り糸を案内可能なラインローラ、固定軸の先端側に設けられ頂点が固定軸の先端より後方に向けて偏芯しかつリール本体側に釣り糸案内面が設けられた略円錐形状の固定軸カバー、及び頂点の手前側の稜線と滑らかに連続して突出する釣り糸係止部を有し、釣り糸を前記スプールに案内するものである。
【０００９】
このスピニングリールでは、キャスティング時には、釣り糸案内部を糸開放姿勢に揺動させる。そして、キャスティングが終わると、たとえば釣り糸案内部を糸巻取姿勢にして釣り糸をつまんで釣り糸係止部に引っ掛けると固定軸カバーを経てラインローラに釣り糸が案内される。ここでは、固定軸カバーを頂点が後方に向けて偏芯した略円錐形状に形成したので、釣り糸案内面の先端側を基端側よりリール本体側に近づけやすくなり、釣り糸に僅かでも前方に向けた張力が作用すれば釣り糸案内面に案内された釣り糸がラインローラに案内されやすくなる。このため、釣り糸を釣り糸係止部に引っ掛けるだけで釣り糸案内面を経て釣り糸をラインローラに案内しやすくなるとともに釣り糸案内面に案内された釣り糸が釣り糸案内面から釣り糸係止部側に脱落しにくくなる。したがって、釣り糸を引っ掛けやすくかつ簡素な構成でラインローラからの釣り糸の脱落を防止できるようになる。
【００１０】
発明２に係るスピニングリールのロータは、発明１に記載のロータにおいて、釣り糸係止部の先端は他の部分より太く形成されている。この場合には、釣り糸係止部の先端を他の部分より太くしたので、釣り糸係止部に係止された釣り糸が太い先端から外れにくくなり、他の部材により外れ防止を行う必要がなくなる。このため、釣り糸を釣り糸係止部に引っ掛けやすくなるとともに簡素な構成で釣り糸の脱落をさらに防止できる。
【００１１】
発明３に係るスピニングリールのロータは、発明１又は２に記載のロータにおいて、釣り糸案内部が糸巻取姿勢にあるとき、釣り糸案内面は固定軸の先端側から釣り糸係止部側に向けて徐々にリール本体との距離が短くなるように設けられている。この場合には、釣り糸案内面は固定軸の先端側から釣り糸係止部側に向けて徐々にリール本体との距離が短くなるように設けられているので、釣り糸案内面にあり釣り糸案内面から前方に繰り出された釣り糸に張力が作用すると、釣り糸が固定軸の先端側に向けて自然に移動しラインローラに案内される。
【００１２】
発明４に係るスピニングリールのロータは、発明１から３のいずれかに記載のロータにおいて、釣り糸係止部の先端は、球状に丸められている。この場合には、釣り糸案内部が球状に丸められているので釣り人に安心感を与えることができる。
発明５に係るスピニングリールのロータは、発明１から４のいずれかに記載のロータにおいて、固定軸カバーは、支持部材の揺動面に対して先端がスプールに向かって傾斜している。この場合には、固定軸カバーの頂点がスプールに向かって延びることになるので、釣り糸案内部を糸開放姿勢にしたときに頂点が下向きに配置されやすくなり、釣り糸係止部の先端が手に当たりにくくなる。
【００１３】
発明６に係るスピニングリールのロータは、発明１から５のいずれかに記載のロータにおいて、ロータ本体は、筒状の後端外周面の第１ロータアームと対向する位置から支持部と間隔を隔てて前方に延びる第２ロータアームをさらに有し、第１ロータアームの支持部材の揺動軸芯を通る第１直線と第２ロータアームの幅方向の中心を通りかつ第１直線と実質的に平行な第２直線とがロータ本体の回転軸芯を挟んで逆側に配置されるように、第１及び第２ロータアームが形成されている。この場合には、釣り糸案内部の揺動軸芯がロータの回転軸芯に対して偏芯して配置されるので、釣り糸案内部を回転軸芯に対して偏芯して配置でき、回転軸芯と同芯に配置されたスプールに釣り糸を案内しやすい位置に釣り糸案内部を配置できる。また、第２ロータアームが第１ロータアームと逆側に偏芯して配置されているので、釣り糸案内部を偏芯した位置に配置しても回転バランスをとりやすくなる。
【００１４】
発明７に係るスピニングリールのロータは、発明６に記載のロータにおいて、第１及び第２直線は、前記回転軸芯から実質的に同じ距離離れて配置されている。この場合には、釣り糸案内部が偏倚することによる回転バランスの崩れをさらに精度良く補正できるとともに、外観が向上する。
発明８に係るスピニングリールのロータは、発明６又は７に記載のロータにおいて、第１ロータアームは、第２ロータアームより前方へ延びる長さが長い。この場合には、釣り糸案内部を含む第１ロータアーム側の重心位置に第２ロータアームの重心位置を近づけることができる。
【００１５】
発明９に係るスピニングリールのロータは、発明６から８のいずれかに記載のロータにおいて、第２ロータアームには、第１ロータアーム及び釣り糸案内部との回転バランスを補正するための重り部材が収納されている。この場合には、釣り糸案内部を含む第１ロータアーム側の重量より軽くなりやすい第２ロータアームに重り部材が設けられているので、回転バランスをさらに高く維持できる。
【００１６】
【発明の実施の形態】
図１から図３において、本発明の一実施形態によるスピニングリールは、ハンドル１を有し、釣り竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００１７】
リール本体２は、内部にロータ駆動機構５とオシレーティング機構６とを収納している。リール本体２は、図１から図４に示すように、両側が開口する筐体部１０と、筐体部１０の両側をそれぞれ塞ぐ第１及び第２蓋部１１，１２と、筐体部１０に一体形成された竿取付部１３と、筐体部１０及び両蓋部１１，１２を後方から覆うカバー部材１４とを有している。
【００１８】
筐体部１０は、たとえば表面に陽極酸化被膜が形成されたマグネシウム合金製の軽量かつ比強度を維持可能な部材であり、ロータ駆動機構５やオシレーティング機構６を収納支持するための収納空間１０ａを形成し得る両面が開口した枠状の部材である。筐体部１０は、奥行き（図３紙面直交方向）がほぼ同じ寸法で形成されたものである。筐体部１０の前面には、逆転防止機構のワンウェイクラッチ（後述）やピニオンギア（後述）などが装着される円板状の機構支持部１０ｂが形成されている。後部には、逆転防止機構の切換操作部（後述）が支持される操作支持部１０ｃが形成されている。また、機構支持部１０ｂの後方には、ピニオンギア及び切換操作部を支持するための中間支持部１０ｄが上部から下方に向けて延びている。
【００１９】
第１蓋部１１は、比強度及び耐食性を高く維持可能なアルミニウム合金製の部材であり、筐体部１０の一面を覆うように形成されている。第１蓋部１１は、図２に示すように、マスターギア７に近接して配置されている。第１蓋部１１は、図１及び図４から明らかなように、筐体部１０の一面側の開口のうち、ハンドル１の回転により回転するマスターギア７を覆う第１カバー部１１ａと、第１カバー部１１ａから後方（図１に破線で示した部分より後方）の開口が露出する第２切欠き部１１ｂとを有している。このような第２切欠き部１１ｂを設けたのは、第１蓋部１１とカバー部材１４との重複部分を可及的に少なくして軽量化を図るためである。
【００２０】
また、第１蓋部１１には、図２及び図４に示すように、マスターギア７が設けられたマスターギア軸８の一端をマスターギア７の背面側で支持する第１ボス部１１ｃが壁面の略中央部分に外方に突出して形成されている。また、第１蓋部１１の前部には、ロータ３の内部に入り込む円板部を構成する略半円形の第１フランジ部１１ｄが形成されている。第１フランジ部１１ｄの前部には、機構支持部１０ｂの後面に配置され機構支持部１０ｂの外周面と略面一に構成される略半円弧状の第１機構収納カバー１１ｅが形成されている。第１蓋部１１にはマスターギア７が近接して配置されているため、マスターギア軸８に大きな負荷が作用したとき、第１ボス部１１ｃには大きな力が作用しやすい。そこで、第１蓋部１１は比強度を高く維持するために金属製にしてある。第１蓋部１１の前下部には、カバー部材１４を装着するとともに、洗浄時の水抜きやグリースの充填などのメンテナンスを行うための第１ねじ孔１１ｆが形成されている。
【００２１】
第２蓋部１２は、第１蓋部１１と略対称な鏡像関係の形状であり、第２カバー部１２ａ、第２切欠き部１２ｂ、第２ボス部１２ｃ、第１フランジ部１１ｄと略鏡像関係の形状の第２フランジ部１２ｄ、及び機構収納カバー１２ｅが形成されている。また第２ねじ孔１２ｆ（図２）も第１ねじ孔１１ｆと対向する位置に形成されている。第１及び第２フランジ部１１ｄ，１２ｄは、筐体部１０の機構支持部１０ｂ後面の外周面とで円形を構成するように形成されている。この円形部分がロータ３の後面に僅かな隙間ではまり込むように構成されている。第２蓋部１２はマスターギア７から比較的遠くに配置されているため、第２ボス部１２ｃには大きな力は作用しにくい。したがって、軽量化を図るために、たとえばナイロン６６などの合成樹脂製としている。第２ボス部１２ｃは、マスターギア軸８の他端を支持するために第２蓋部１２の壁面の第１ボス部１１ｃと対向する略中央部分に外方に突出して形成されている。
【００２２】
なお、両蓋部１１，１２はたとえば丸頭ビスのような固定ねじ１９により、筐体部１０に固定されている。この蓋部１１，１２の固定方法は、種々の変形例が考えられ、たとえば、筐体部１０を貫通させて一方の蓋部から他方の蓋部にねじ込むように固定してもよい。
竿取付部１３は、筐体部１０から上方に延びるＴ字形状の部材であり、先端に形成された前後に延びるリール脚１３ａが釣り竿にリールシート（図示せず）に装着可能である。なお、竿取付部１３は軽量化及び肉厚の均一化を図るために上面及び前面に肉盗み部１３ｂ，１３ｃがそれぞれ形成されている。
【００２３】
カバー部材１４は、第１及び第２蓋部１１，１２を装着した状態の筐体部１０を後方から側部及び底部を覆うように湾曲して形成されている。カバー部材１４は、第１及び第２蓋部１１，１２の後端部に形成された第１及び第２切欠き部１１ｂ，１２ｂを塞ぐととも、リール本体２の後端角部を含む側面及び後面の傷付きを防止するために設けられている。カバー部材１４は、ＡＢＳ樹脂等の比較的硬質の合成樹脂製であり、表面に金属めっきを施している。カバー部材１４は、前端側部の第１及び第２ねじ孔１１ｅ，１２ｅに対向する位置に段付きのねじ装着孔１４ａ，１４ｂが形成されている。このねじ装着孔１４ａ，１４ｂに第１及び第２ねじ孔１１ｆ，１２ｆにねじ込まれるねじ部材１４ｃが装着されカバー部材１４を両蓋部１１，１２に固定するとともにメンテナンス時にあけることができるようになっている。カバー部材１４は後端下面で筐体部１０の下面にねじ込まれる。ねじ部材１４ｄによっても固定されている。
【００２４】
このような構成のリール本体２では、第１蓋部１１が軽量でかつ比強度が高いアルミニウム合金製であるので、マスターギア７が近接して配置され比較的大きな力が作用しやすい第１蓋部１１の比強度を高く維持して軽量化を図ることができる。またマスターギア７から遠くあまり大きな力が作用しにくい第２蓋部１２は合成樹脂を採用したので軽量化を図ることができる。さらに、筐体部１０がマグネシウム合金製であるので、リール本体２全体として、比強度を維持して軽量化を図ることができる。
【００２５】
ロータ駆動機構５は、ハンドル１のハンドル軸１ａがねじ込み固定されるマスターギア軸８と、マスターギア軸８に一体形成されたマスターギア７と、マスターギア７と噛み合うピニオンギア９とを備えている。
マスターギア軸８は、リール本体２の両蓋部１１，１２に形成された第１及び第２ボス部１１ｃ，１２ｃに装着された軸受１５ａ，１５ｂによりリール本体２に回転自在に装着されている。マスターギア軸８の両端内周部には、雌ねじ部８ａ，８ｂがそれぞれ形成されている。雌ねじ部８ａ，８ｂは、ハンドル１を糸巻取方向に回転したときねじが締まる方向のねじである。したがって、図２左側の雌ねじ部８ａは左ねじであり、右側の雌ねじ部８ｂは右ねじである。なお、ハンドル１は、図１及び図３に示す左位置と図２に示す右位置とのマスターギア軸８の両端の何れにも装着可能である。しかし、雌ねじ部８ａ，８ｂのねじ方向が異なるため、ハンドル軸１ａを左右に取り付ける場合、それぞれ専用のものが用意されている。なお、図２には左ハンドル用のハンドル軸１ａが図示されている。
【００２６】
ピニオンギア９は、中空筒状の部材であり、前部がロータ３を貫通してロータ３を回転不能に装着している。ピニオンギア９の内周部には、スプール軸１６が貫通して配置されている。ピニオンギア９の前部にはナット１７が装着されており、ナット１７によりロータ３がピニオンギア９に固定されている。ピニオンギア９は、その軸方向の中間部と後端部とがそれぞれ軸受１８ａ，１８ｂによりリール本体２の筐体部１０に回転自在に支持されている。軸受１８ａは、機構支持部１０ｂに装着され、軸受１８ｂは、中間支持部１０ｄに装着されている。ピニオンギア９の後端側に形成されたギア部９ｂには、環状の切欠き部９ｃが形成されている。この環状の切欠き部９ｃは、後述する減速機構２０をコンパクトに配置するために設けられている。
【００２７】
オシレーティング機構６は、図２及び図３に示すようにピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ，２３ｂを有している。
減速機構２０は、図５に示すように、ピニオンギア９に噛み合う大径ギア２５ａ及び小径ギア２５ｂを有する段付きギア部２５と、小径ギア２５ｂに噛み合う第１中間ギア２６ａ及び第１中間ギア２６ａと間隔を隔てて配置された第２中間ギア２６ｂとを有する中間軸２６と、螺軸２１に回転不能に装着され第２中間ギア２６ｂに噛み合う従動ギア２７とを備えている。
【００２８】
段付きギア部２５は、ピニオンギア９と平行な軸回りに回転する。大径ギア２５ａは、ピニオンギア９に噛み合うねじギアである。小径ギア２５ｂ、第１中間ギア２６ａ、第２中間ギア２６ｂ及び従動ギア２７は、ともにねじギアであり、中間軸２６は、段付きギア部２５と食い違う軸回りに回転し、従動ギア２７が装着された螺軸２１は、中間軸２６と食い違いかつピニオンギア９と平行な軸回りに回転する。中間軸２６の第２中間ギア２６ｂは、ピニオンギア９の切欠き部９ｃの下方に配置されている。これにより、切欠き部を形成しない場合に比べて螺軸２１をピニオンギア９に近接して配置させることができ、リール全体のコンパクト化を図ることができる。このような構成の減速機構２０では、ピニオンギア９の回転が大きく減速されて螺軸２１に伝達される。
【００２９】
螺軸２１は、表面に交差する螺旋状の溝２１ａが形成された部材であり、スプール軸１６と平行に配置されている。螺軸２１は、筐体部１０の前後端にたとえば合成樹脂製の軸受を介して回転自在に装着されている。螺軸２１は、筐体部１０の後方から装着され、筐体部１０の後面にねじ止め固定された固定板５４により抜け止めされている。
【００３０】
スライダ２２は、内部に螺軸２１の溝２１ａに係合する係合部材２２ａが装着されている。スライダ２２は、スプール軸１６の後端部に回転不能かつ移動不能に連結されている。スライダ２２は、係合部材２２ａの先端が溝２１ａに係合することにより、螺軸２１の回転に応じてスプール軸方向に往復移動し、スプール軸１６をハンドル１の回転に連動して往復移動させる。
【００３１】
ガイド軸２３ａ，２３ｂはスライダ２２を貫通しており、スライダ２２をスプール軸１６に沿って案内する。ガイド軸２３ａは、筐体部１０の後端と中間支持部１０ｄとに両端が固定されている。ガイド軸２３ａは、筐体部１０の後方から装着されており、螺軸２１を抜け止めする固定板５４により後端が抜け止めされている。ガイド軸２３ｂは、筐体部１０の前後端に両端が固定されている。ガイド軸２３ｂは筐体部１０の前方から装着されている。ガイド軸２３ｂの前部には、第１蓋部１１の前部を固定する固定ねじ１９が接触可能であり、この固定ねじ１９により抜け止めされている。
【００３２】
ロータ３は、釣り糸案内部が一方のロータアームにのみ装着された、いわゆるベールレスタイプのものである。
ロータ３は、図３及び図６から図８に示すように、ピニオンギア９を介してリール本体２に回転自在に装着されたロータ本体３０と、ロータ本体３０に揺動自在に装着された釣り糸案内部３１とを有している。
【００３３】
ロータ本体３０は、たとえば表面に陽極酸化被膜が形成されたマグネシウム合金製であり、筒状の支持部３２と、支持部３２の後端部外周面の対向する位置から支持部３２と間隔を隔ててそれぞれ前方に延びる第１及び第２ロータアーム３３，３４とを有している。
支持部３２は、後端から前方に向けてテーパ状に縮径した後に円筒状に形成された概ね筒状の部材である。支持部３２の前部には、前壁３２ａが形成されており、前壁３２ａの中央部にはピニオンギア９の前部が貫通するボス部３２ｂが形成されている。ボス部３２ｂは、ピニオンギア９の前部に回転不能に装着されている。前壁３２ａの前部でピニオンギア９の前部にはナット１７がねじ込まれており、このナット１７によりロータ３がピニオンギア９に固定されている。また、支持部３２の前部には、スプール軸１６への釣り糸の巻き付きを防止するための筒状の糸噛み防止部材３５が装着されている。
【００３４】
第１ロータアーム３３の先端には、釣り糸案内部３１が糸巻取姿勢と糸開放姿勢とに揺動自在に装着されている。第１ロータアーム３３の内部には、釣り糸案内部３１の揺動に連動して動作する連動機構４０が装着されている。第１ロータアーム３３の径方向外周側は第１カバー部材３６により覆われている。
第２ロータアーム３４は、第１ロータアーム３３と同様に前方に延びており、径方向外周側は、第２カバー部材３７により覆われている。第２ロータアーム３４は、ロータ３の回転バランスをとるために設けられたものである。このため、第２ロータアーム３４は、釣り糸案内部３１が装着された第１ロータアーム３３の重心位置に近づけるために重心位置を前方側に偏倚させている。重心位置を前方側に偏倚させるために、第２ロータアーム３４には基端側に開口部３４ａが形成されているとともに、先端側に重り部材３８を装着するための重り収納部３４ｂが形成されている。重り部材３８は、たとえばタングステン合金製である。また、第２ロータアーム３４は、重心を前方に偏倚させるために、図７及び図８から明らかなように、前方に延びる長さが第１ロータアーム３３より長くなっている。
【００３５】
ここで、図６に示すように、第１ロータアーム３３の釣り糸案内部３１の揺動軸芯を通る第１直線Ｌ１と第２ロータアーム３４の幅方向の中心を通りかつ第１直線Ｌ１と実質的に平行な第２直線Ｌ２とがロータ本体３０の回転軸芯Ｘを挟んで逆側に略同じ距離だけ離れて配置されるように、両ロータアーム３３，３４は形成されている。このように両ロータアーム３３，３４を配置すると、釣り糸案内部３１が回転軸芯Ｘに対して外側に大きく偏倚（図６では第１直線Ｌ１に対して外側に偏倚）して配置されていても、回転バランスをさらに良好に維持することができる。
【００３６】
糸噛み防止部材３５は、支持部３２の円筒部分と面一に形成された円筒状の噛み込み防止部３５ａと、噛み込み防止部３５ａの後端部に中心に向けて対向して設けられた１対の舌状の装着部３５ｂとを有している。噛み込み防止部３５ａの先端は他の部分より大径に形成されており、これにより、スプール４内部に侵入した釣り糸がロータ３内に入らないようにしている。また、噛み込み防止部３５ａの先端内周面には、回転バランス補正用の重り部材３９を収納するための重り収納部３５ｃが形成されている。重り部材３９も、たとえばタングステン合金製である。なお、重り収納部３５ｃは、図３では、開示の便宜のため第２ロータアーム３４に近接した位置に形成されているが、実際には、図６に示すように後述釣り糸案内部３１が揺動する方向で両ロータアーム３３，３４の中間位置に配置されている。このように重り収納部３５ｃを配置することにより、釣り糸案内部３１が第１直線Ｌ１より回転軸芯Ｘからさらに離れる方向に偏倚して配置されていても、釣り糸案内部３１に対して回転軸芯Ｘと逆側に配置された重り部材３９により回転バランスを補正することができる。
【００３７】
糸噛み防止部材３５は、装着部３５ｂの前面から装着された２本のねじ部材２９，２９により前壁３２ａに固定されている。なお、前壁３２ａの前面は糸噛み防止部材３５を装着した状態で、装着部３５ｂを含めて環状の平坦面となっている。装着部３５ｂを含めた平坦面を前壁３２ａの前面に形成するために、前壁３２ａには、舌状の装着部３５ｂが入り込む凹部３２ｃが形成されている。これにより、スプール４側から異物が入り込んで付着しても、スプール４を外せば異物をふき取りなどして除去しやすい構造となっている。
【００３８】
釣り糸案内部３１は、釣り竿からスプール４に釣り糸をスムーズに案内してスプール４に釣り糸を巻き付けるために設けられている。このため、図６に示すように、釣り糸案内部３１は、スプール４の糸巻き胴部４ａ（後述）の外周面に釣り糸を案内しやすいようにロータの回転軸芯Ｘから外方（図６左方）に大きく偏倚して配置されている。釣り糸案内部３１は、図６〜図９に示すように、第１ロータアーム３３の先端に装着された支持部材４１と、支持部材４１の先端に基端が固定された固定軸４２と、固定軸４２に回転自在に装着され釣り糸を案内可能なラインローラ４３と、固定軸４２の先端に設けられた固定軸カバー４４と、固定軸カバー４４の先端に設けられ釣り糸を係止する釣り糸係止部４５とを有している。
【００３９】
支持部材４１は、先端に糸巻取姿勢と糸開放姿勢とに揺動自在に装着されている。固定軸４２は、支持部材４１の先端に基端が回転不能に係止され、取付ボルト４２ａにより支持部材４１に固定される。固定軸４２は、図６に示すように、支持部材４１の揺動面Ｆ（図１）に対して先端がスプール４に向かって傾斜している、スプール４に向けて先端が僅かに傾斜している。固定軸４２の外周には、ラインローラ４３が１対の軸受４６を介して回転自在に装着されている。ラインローラ４３は、外周面に釣り糸を案内する環状の案内溝４７が形成されており、糸ヨレが生じにくいようになっている。また、ラインローラ４３の外周面の両端は、支持部材４１及び固定軸カバー４４により覆われている。
【００４０】
固定軸カバー４４は、固定軸４２と一体形成された、たとえばステンレス合金製の部材である。固定軸カバー４４は固定軸４２の先端側に設けられ、頂点４４ｂが固定軸４２の先端４２ａより後方（図９下方）に向けて偏芯し、かつリール本体２側（図９下側）に釣り糸案内面４６ｃが設けられた略円錐形状の部材である。固定軸カバー４４の後面側の稜線近傍の図７にハッチングで示す領域がラインローラ４３に釣り糸を案内する釣り糸案内面４４ｃとなっている。固定軸カバー４４は、ロータ３を前方から見て、図６に示すように、固定軸４２と同芯に先端がスプール４に向かって傾斜して延びている。釣り糸案内部３１が糸巻取姿勢にあるとき、釣り糸案内面４６ｃは固定軸４２の先端側から釣り糸係止部４５側に向けて徐々にリール本体２との距離が短くなるように設けられている。固定軸カバー４４の前面には、他の部分より凹んだつまみ凹部４４ａが形成されている。このようなつまみ凹部４４ａを設けると釣り糸案内部３１を糸巻取姿勢から糸開放姿勢に戻す際に便利である。また、固定軸カバー４４の軽量化、ひいては軽量化に伴う回転バランスの向上に効果がある。釣り糸係止部４５は、頂点４４ｂの手前側で稜線と滑らかにと滑らかに連続して頂点４４ｂから突出し先端が他の部分より太く形成されている。釣り糸係止部４５の先端は球状に丸められている。
【００４１】
このような構成の釣り糸案内部３１は、釣り糸係止部４５の先端が他の部分より太いので一度釣り糸が釣り糸係止部４５に係止されると外れにくくなる。また、釣り糸係止部４５及び固定軸カバー４４の頂点４４ｂが後方に傾いているので、釣り糸係止部４５に係止された釣り糸が釣り糸案内面４６ｃによりラインローラ４３の案内溝４７に確実に案内される。
【００４２】
ロータ３は、図３に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の操作支持部１０ｃ及び中間支持部１０ｄに揺動自在に支持されている。
【００４３】
スプール４は、スプール軸１６に対して複数の回転位相で装着可能であり、仕掛けの垂らし長さを変更可能になっている。スプール４は、図３に示すように、浅溝形のものであり、外周に釣り糸が巻き付けられる糸巻き胴部４ａと、糸巻き胴部４ａの後端部に糸巻き胴部４ａより大径に形成された筒状のスカート部４ｂと、糸巻き胴部４ａの先端部に糸巻き胴部４ａより僅かに大径に形成された前フランジ部４ｃとを備えている。
【００４４】
糸巻き胴部４ａは、スプール軸１６に対して回転不能であり、ロータ３の支持部３２及び糸噛み防止部材３５の外周側に配置されている。糸巻き胴部４ａは、先端側内周に一体形成された前壁部４ｄと、前壁部４ｄの内周側に後方に突出して一体形成されたボス部４ｅとを有している。前壁部４ｄには、軽量化を図るために多数の透孔４ｇが形成されている。
【００４５】
スカート部４ｂには、図１に示すように、軽量化を図るために内径が異なる多数の透孔４ｆが形成されている。前フランジ部４ｃには、糸巻き胴部４ａの外周面から僅かに前方に拡径するテーパ状の外周面を有している。これによりキャスティング時に釣り糸に作用する放出抵抗が大きく減少する。
次にスピニングリールの動作について説明する。
【００４６】
なお、動作の説明では右手でキャスティングする場合を説明する。キャスティングの際には、釣り糸案内部３１を糸巻取姿勢にして釣り糸を釣り糸案内部３１に引っ掛けた状態にして仕掛けの垂らし長さを調整する。
まずハンドル１を糸巻取方向に回してスプール４をストロークの最先端近くに配置した状態で釣り糸案内部３１が所定の回転位相となるようにする。具体的には、釣り糸案内部３１の操作のしやすさや釣り糸のつまみやすさを考慮し、たとえば、右手でキャスティングするときには釣り糸案内部３１を釣り竿側から見てスプール４の左側に配置すると釣り糸案内部３１を左手で操作しやすい。
【００４７】
この状態で左手（釣り竿を持つ手の逆の手）の指先で釣り糸案内部３１の固定軸カバー４４をつまんで釣り糸案内部３１を糸開放姿勢に揺動させる。このとき、固定軸カバー４４につまみ凹部４４ａが形成されているので、固定軸カバー４４をつまみやすくなり、釣り糸案内部３１をつまんで簡単に揺動させることができる。そして、スプール４に巻き付けられた釣り糸を、左手でつまんで釣り竿を右手の人差し指で引っ掛けてキャスティングする。
【００４８】
キャスティングが終わると、左手で釣り糸案内部３１を糸開放姿勢から糸巻取姿勢に戻し、左手で釣り糸をつまんで釣り糸案内部３１の釣り糸係止部４５に係止する。釣り糸係止部４５に係止された釣り糸は、固定軸カバー４４の釣り糸案内面４４ｃを通ってラインローラ４３の案内溝４７に案内される。この状態でハンドル１を糸巻取方向に僅かに回転させて釣り糸にわずかにテンションをかけて置き竿する。
【００４９】
この釣り糸を引っ掛けるときに、釣り糸係止部４５の先端を他の部分より太くしたので、釣り糸係止部４５に係止された釣り糸が太い先端から外れにくくなり、他の部材により釣り糸の外れ防止を行う必要がなくなる。このため、釣り糸を釣り糸係止部４５に引っ掛けやすくなるとともに簡素な構成で釣り糸の脱落を防止できる。また、固定軸カバー４４を頂点４４ｂが後方に向けて偏芯した略円錐形状に形成したので、釣り糸案内面４４ｃの先端側を稜線に連続する基端側よりリール本体２側に近づけやすくなり、釣り糸案内面４４ｃに案内された釣り糸はラインローラ４３に案内される。このため、釣り糸係止部４５に釣り糸を引っ掛けるだけで釣り糸案内面４４ｃを経て釣り糸をラインローラ４３に案内しやすくなるとともに案内された釣り糸が案内面４４ｂから脱落しにくくなる。したがって、釣り糸を引っ掛けやすくかつ簡素な構成でラインローラからの釣り糸の脱落を防止できるようになる。
【００５０】
仕掛けに獲物がかかってハンドル１を回すとロータ３が糸巻取方向に回転するとともにスプール４が前後移動する。同時に、ハンドル１の回転はマスターギア軸８を介してマスターギア７に伝達され、ピニオンギア９を介してロータ３が回転する。また、ピニオンギア９から減速機構２０を介してオシレーティング機構６が動作してスプール４が前後移動する。
【００５１】
このとき、第１及び第２ロータアーム３３，３４が回転軸芯Ｘを挟んで逆側に配置されているので、釣り糸案内部３１が回転軸芯Ｘに対して外側に偏倚して配置されていても、回転バランスをさらに良好に維持することができる。しかも、第２ロータアーム３４や糸噛み防止部材３５にもバランス補正用の重り部材３８，３９が装着されているので、回転バランスがさらに正確に補正されている。
【００５２】
〔他の実施形態〕
（ａ）前記実施形態では、両ロータアーム３３，３４を回転軸芯Ｘに対して偏芯させたが、偏芯させなくてもよい。
（ｂ）前記実施形態では、第２ロータアームを設けて回転バランスを良好に維持したが、第２ロータアームを設けなくてもよい。
【００５３】
（ｃ）前記実施形態では、固定軸と固定軸カバーとを一体形成したが、別体で形成してもよい。
（ｄ）前記実施形態では、釣り糸係止部を固定軸カバーと一体形成したが、両者を別体で形成してもよい。
【００５４】
【発明の効果】
本発明によれば、固定軸カバーを頂点が後方に向けて偏芯した略円錐形状に形成したので、釣り糸案内面の先端側を基端側よりリール本体側に近づけやすくなり、釣り糸に僅かでも前方に向けた張力が作用すれば釣り糸案内面に案内された釣り糸がラインローラに案内されやすくなる。このため、釣り糸を釣り糸係止部に引っ掛けるだけで釣り糸案内面を経て釣り糸をラインローラに案内しやすくなるとともに釣り糸案内面に案内された釣り糸が釣り糸案内面から釣り糸係止部側に脱落しにくくなる。したがって、釣り糸を引っ掛けやすくかつ簡素な構成でラインローラからの釣り糸の脱落を防止できるようになる。
【図面の簡単な説明】
【図１】本発明の一実施形態を採用したスピニングリールの側面図。
【図２】そのスピニングリールの背面断面図。
【図３】そのスピニングリールの側面断面図。
【図４】リール本体の分解斜視図。
【図５】減速機構の斜視図。
【図６】ロータの正面図。
【図７】ロータの右側面図。
【図８】ロータの左側面図。
【図９】固定軸カバーの断面図。
【符号の説明】
２  リール本体
３  ロータ
４  スプール
３０  ロータ本体
３１  釣り糸案内部
３２  支持部
３３  第１ロータアーム
３４  第２ロータアーム
３８  重り部材
４１  支持部材
４２  固定軸
４３  ラインローラ
４４  固定軸カバー
４４ａ  つまみ凹部
４４ｂ  頂点
４４ｃ  釣り糸案内面
４５  釣り糸係止部
【図１】
2004236564.tif 000003
【図２】
2004236564.tif 000004
【図３】
2004236564.tif 000005
【図４】
2004236564.tif 000006
【図５】
2004236564.tif 000007
【図６】
2004236564.tif 000008
【図７】
2004236564.tif 000009
【図８】
2004236564.tif 000010
【図９】
2004236564.tif 000011